(57)【要約】複数の画像（１０１９）が表示される、記憶されている複数の画像を閲覧することを可能にする方法及び装置について開示している。各々の画像は画像に関連する少なくとも１つのラベルを有する。各々のラベルは少なくとも１つの属性及び関連値を有する。ラベルの表現が与えられる。少なくとも１つの属性が選択され、選択された属性の値と同じ値を有する画像の少なくとも更なる一の画像が検索される。
2009510584.tif 000002
【特許請求の範囲】
【請求項１】
複数の画像を閲覧することを可能にする方法であって：
画像を与えるステップであって、前記画像は少なくとも１つの前記画像に関連するラベルを有し、前記少なくとも１つのラベルは前記画像の少なくとも１つの属性及び関連値を有する、ステップ；
前記少なくとも１つのラベルの表現を与えるステップ；
表示される前記ラベルから前記少なくとも１つの属性の一を選択することを可能にするステップ；並びに
前記選択された属性の値と同じ値を有する属性を有する画像の少なくとも更なる一の画像を決定するステップ；
を有する方法。
【請求項２】
請求項１に記載の方法であって、前記少なくとも１つの属性の一を選択することを可能にする前記ステップは、記憶されている画像における人間又は対象物を選択することを可能にするステップを有する、方法。
【請求項３】
請求項１又は２に記載の方法であって、前記少なくとも１つのラベルの前記表現は、ポップアップにおいて表示されている少なくとも１つの属性及び値を有する、方法。
【請求項４】
請求項１乃至３の何れか一項に記載の方法であって、前記少なくとも１つのラベルの前記表現は、前記ラベルに関連する画像に近接する領域において表示される、方法。
【請求項５】
請求項１乃至４の何れか一項に記載の方法であって、前記少なくとも１つのラベルの前記表現は、前記ラベルに関連する画像のオーバーレイである、方法。
【請求項６】
請求項１乃至５の何れか一項に記載の方法であって、前記属性及び前記値は自動的に生成される、方法。
【請求項７】
請求項１乃至６の何れか一項に記載の方法であって、視覚的要素は前記少なくとも１つのラベルを表す、方法。
【請求項８】
請求項７に記載の方法であって、視覚的要素は包括アイコンを有する、方法。
【請求項９】
複数の画像を閲覧することを可能にする方法であって：
複数の画像を記憶する記憶手段；
画像を与える手段であって、前記画像は少なくとも１つの前記画像に関連するラベルを有し、前記少なくとも１つのラベルは前記画像の少なくとも１つの属性及び関連値を有する、手段；
前記少なくとも１つのラベルの表現を与える手段；
前記少なくとも１つのラベルから前記少なくとも１つの属性の一を選択することを可能にする手段；並びに
前記選択された属性の値と同じ値を有する属性により前記画像の少なくとも更なる一の画像を決定する手段；
を有する装置。
【請求項１０】
請求項１乃至８の何れか一項に記載の方法を実行する複数のプログラムコード部分を有するコンピュータプログラム。
【発明の詳細な説明】
【技術分野】
【０００１】
本発明は、記憶されている画像を閲覧することに関する。特に、本発明は、デジタルカメラ又はコンピュータシステムに記憶されている写真等のデジタル画像を閲覧することに関するが、排他的なものではない。
【背景技術】
【０００２】
例えば、デジタル写真等の画像のデジタル記憶は、何れかの可能な順序で画像の収集が電子ディスプレイに提示されるようになっている。画像は、例えば、生成時間、生成者、イベント、人間、対象物、生成場所等及び何れのそれらの組み合わせ等の情報に基づいて、選択され、順序付けられる。
【０００３】
常に、デジタル画像を閲覧する既存のシステムにおいては、そのようなデジタル写真、画像に関連付けられるメタデータも、記憶される。メタデータは、画像が捕捉された日時等の情報を有することが可能であり、イベント又はそのイベントの場所において、その画像は捕捉されたものである。そのシステムはまた、画像において捕捉されている人間又は対象物を識別することが可能である。メタデータは種々のデータソースから自動的に生成されることが可能であり、例えば、人間は顔認識技術により認識されることが可能である。代替として、ユーザは、メタデータを手動で付加する又は編集することが可能である。メタデータは、画像をソーティングする、順序付ける及び検索するための有用なソースを与える。ユーザは、特定のイベントにおいて撮影された画像全てを表示することを希望し、それらの画像は、メタデータを用いることにより選択される及び検索されることが可能である。それらの選択された画像から、ユーザは、特定のイベントの間の特定の日時に捕捉され、特定の人間を特徴付けるサブカテゴリのようなサブカテゴリを選択することを希望することがある。
【０００４】
デジタル画像についての既知の閲覧の例については、文献“Ｓｉｍｐｌｉｆｙｉｎｇ  ｔｈｅ  Ｍａｎａｇｅｍｅｎｔ  ｏｆ  Ｌａｒｇｅ  Ｐｈｏｔｏ  Ｃｏｌｌｅｃｔｉｏｎｓ”，ｂｙ  Ｇｉｒｇｅｎｓｏｈｎ  ｅｔ  ａｌ．ｏｆ  ＦＸ  Ｐａｌｏ  Ａｔｔｏ  Ｌａｂｏｒａｔｏｙ、Ａｐｒｉｌ  ０５，２００５に記載されている。デジタル画像又は写真は、ライトテーブル又は写真ビューアとして表示され、ツリービューは、ユーザに写真分類の視覚的表示を与え、それらの分類についての写真のナビゲーションを可能にする。
【０００５】
写真のナビゲーションを可能にするように、スクリーン上のツリービューを有する必要がある。それ故、ライトテーブルに表示されることができる写真は、スクリーンのフル使用を行われることができないために制限される。このことは、スクリーンがデジタルカメラ又は携帯電話等と一体化されているスクリーンのように小さい場合に、かなり重要になる。
【非特許文献１】“Ｓｉｍｐｌｉｆｙｉｎｇ  ｔｈｅ  Ｍａｎａｇｅｍｅｎｔ  ｏｆ  Ｌａｒｇｅ  Ｐｈｏｔｏ  Ｃｏｌｌｅｃｔｉｏｎｓ”，ｂｙ  Ｇｉｒｇｅｎｓｏｈｎ  ｅｔ  ａｌ．ｏｆ  ＦＸ  Ｐａｌｏ  Ａｔｔｏ  Ｌａｂｏｒａｔｏｙ、Ａｐｒｉｌ  ０５，２００５
【発明の開示】
【発明が解決しようとする課題】
【０００６】
それ故、スクリーン使用をまた、最大化する記憶画像の、よりフレキシブルで、有用な検索及び閲覧システムを備えることが望ましい。このことは、本発明の特徴にしたがって、複数の画像を閲覧することを可能にする方法により達成され、その方法は、画像を与える段階であって、前記画像は画像に関連する少なくとも１つのラベルを有し、前記少なくとも１つのラベルは前記画像及び関連する値の少なくとも１つの属性を有する、段階と、前記少なくとも１つのラベルの表現を与える段階と、前記表示されるラベルから前記少なくとも１つの属性のうちの１つを選択することを可能にする段階と、選択された属性の値と同じ値を有する属性を有する画像の少なくとも更なる一の画像を決定する段階と、を有する。画像は、例えば、写真又は映像セグメントであることが可能である。
【課題を解決するための手段】
【０００７】
このことはまた、本発明の他の特徴にしたがって、複数の画像を閲覧することが可能である装置により達成されることができ、その装置は、画像を与える手段であって、前記画像は画像に関連する少なくとも１つのラベルを有し、前記少なくとも１つのラベルは前記画像及び関連する値の少なくとも１つの属性を有する、手段と、前記少なくとも１つのラベルの表現を与える手段と、前記少なくとも１つのラベルから前記少なくとも１つの属性のうちの１つを選択することを可能にする手段と、選択された属性の値と同じ値を有する属性を有する画像の少なくとも更なる属性を決定する手段と、を有する。
【０００８】
ラベルの表現は、自動的に又はポップアップの形式で表示されることが可能である。ポップアップは、スクリーンの指定された領域においてスクリーン上のカーソルの移動により得られることが可能である。ラベルは、単独の属性又は画像と関連する属性のリストを有することが可能である。画像は、属性のリスト及び／又は属性値又はそれらの属性の絵的表現の何れかの組み合わせ、例えば、包括アイコンを有することが可能である。代替として、ラベルは、例えば、画像により捕捉されている対象物又は人間により、画像自体の中において表現されることが可能である。対象物又は人間は、画像により捕捉されている対象物又は人間を選択することにより選択されることが可能であるそれらに関連する属性値を有することが可能である。更に、ラベルは、領域に関連する属性値を有効に選択する指定領域を選択することにより選択されることが可能である属性値を有するスクリーンの指定領域により表されることが可能である。
【０００９】
このように、ユーザは、ナビゲーションパネルを必要とすることなく、多くの画像を検索及び閲覧することが可能である。それ故、スクリーンのフル使用が、画像を表示するように行うことができる。
【００１０】
本発明の十分な理解のために、添付図と関連付けた以下の詳細説明を参照することができる。
【発明を実施するための最良の形態】
【００１１】
本発明の好適な実施形態について、以下、図１乃至３を参照して詳述する。
【００１２】
図１は、本発明の実施形態にしたがったシステムのスクリーン１００の模式図である。スクリーン１００は、テレビのスクリーン、画像捕捉装置（例えば、デジタルカメラ）と一体化された表示スクリーン、コンピュータのスクリーン等であることが可能である。デジタル写真等の画像１０１がスクリーン１００において表示されている。ここでは、単独の写真が示されているが、複数の画像がタイルフォーマットで表示されることが可能であることを理解することができる。
【００１３】
各々のデジタル画像１０１は、そのデジタル画像に関連する複数の属性及び属性値を有する。それらは、図２に示しているように、オーバーレイ１０３のようなラベルにおいて表示されることができる。図２に示しているオーバーレイ１０３は属性値のリストを有する。図示されているように、ラベル１０３はデフォルトによりスクリーン１００において提示されることが可能であり、又は、ユーザアクションの結果として提示されることが可能であり、例えば、ユーザは、いつ、どこで及び誰が等に関するラベル情報、又はスクリーンの領域にラベルが現れるようにするカーソルの動きを見るように、情報ボタンを押すことが可能である。ラベルは、代替として、画像１０１の外側の、画像の周りの又はスクリーンの別個の領域のスクリーン１００上に提示されることが可能である。ここで図示しているようなラベルのテキストの内容の提示に代えて、属性及び属性値を表す視覚的要素が用いられることが可能である。例えば、包括アイコンは、時間、場所、人間などのような特徴を表すことができる。ラベルはまた、スクリーンの指定領域の選択により表現されることが可能であり、又は、代替として、画像により捕捉されている対象物又は人間は、カーソル等により選択されることが可能である。スクリーンの領域、対象物又は人間は属性及びそれらに関連する属性値を有する。それ故、領域、対象物又は人間の選択は、属性値を有する少なくとも１つの画像の選択をもたらす。ラベル１０３は、それらの何れかの組み合わせを有することが可能である。
【００１４】
ユーザは、その場合、ラベル１０３において表示される属性値の一を選択することにより画像の他の集合又はコレクションを容易に選択することができる。
【００１５】
代替として、属性値は、図３に示しているようにグラフィカルにラベルにおいて列挙されることが可能である。各々の属性値は、“縮小された”フォーマットにおいて対応する画像１０５、１０７、１０９、１１１、１１３により示されている。ユーザは、属性値を有する画像を選択するように縮小された画像の一を強調表示することができる。更に、縮小された大きさの画像が、ユーザが対応する集合を選択するとすぐに、次の集合の属性値を提示するように用いられることが可能である。
【００１６】
選択された集合における画像の選択及び順序付けは、種々の方法で行われることが可能である。例えば、画像の集合又はコレクションは、全ての画像がタイルフォーマットで同時にスクリーン上に表示され、又は代替として、単独の画像が表示され、スクロールバー又は“次”の矢印を用いることにより後続の画像を見ることができる。選択された画像の集合を閲覧している際に、ユーザは、特定の人間の、即ち、現在の画像の一において特徴付けられている異なる属性の、画像を閲覧し続けることを望む可能性がある。ユーザは、例えば、ラベル１０３において必要な値を有する“人間”の属性を選択することにより、これを行うことが可能である。そのシステムは、その場合、その人間の画像全てを検索し、スクリーン１００上にそれらを及びそれらの関連するラベルを表示する。
【００１７】
それらの画像は特定の順序で表示されることが可能である。イベント（休日、クリスマス、誕生日）について、それらの画像は時系列的に表示されることが可能である。ユーザが順番付けを決定することもまた、可能である。例えば、“マウス”の左右のボタンは時系列的に閲覧するように用いられることが可能である一方、ある他のボタンは現在の集合の画像の順序においてランダムなジャンプを可能にするように用いられることが可能である。
【００１８】
所定の実施形態のブラウザは、特定のモードで用いられることが可能である。例えば、接続されているディスプレイは、Ｅ−Ｈｕｂに接続されているテレビであることが可能である。好適な実施形態のブラウザは、３つの異なる操作モードを有することが可能であり、ユーザは、例えば、一のモードから他のモードに途切れることなく切り換えることが可能であり、例えば、それらのモードは、コレクションからの画像の半ランダムな選択に基づく自動的な“エンドレスな”スライドショーを有する写真フレームモード、アルバム（例えば、誕生日アルバム、休日のアルバム、スポーツジムのアルバム、Ｄｕｃａｔｉのアルバム）を通して従来通りに閲覧することが可能であるアルバム閲覧モード、そして、特定の重要度に沿って画像を閲覧する能力を有する探索ナビゲーションモードであって、例えば、情報ボタン又は探索ボタンを押して、ユーザアクションのあるパターンにより予め明記されたモード、の何れかから入力されることが可能である、探索ナビゲーションモードである。
【００１９】
本発明の好適な実施形態について、上記の詳細説明において添付図を参照しながら説明しているが、本発明は記載されている実施形態に限定されるものではなく、同時提出の特許請求の範囲に記載されている本発明の範囲から逸脱することなく多くの修正ができることを理解することができる。
【図面の簡単な説明】
【００２０】
【図１】本発明の実施形態にしたがったシステムの表示スクリーンの異なるビューの模式図である。
【図２】本発明の実施形態にしたがったシステムの表示スクリーンの異なるビューの模式図である。
【図３】本発明の実施形態にしたがったシステムの表示スクリーンの異なるビューの模式図である。
【図１】
2009510584.tif 000003
【図２】
2009510584.tif 000004
【図３】
2009510584.tif 000005
【国際調査報告】
2009510584.tif 000006